(57)【特許請求の範囲】
【請求項１】
被写体を撮像し、画像データを取得する画像データ取得手段を有し、前記画像データを記録する記録媒体を着脱可能とする撮像装置であって、
前記記録媒体が装着され、前記撮像装置の電源が入った後で、前記記録媒体のボリュームラベルに予め設定された文字列を読み込む読込手段と、
前記読込手段により読み込まれた前記記録媒体のボリュームラベルの文字列を前記画像データと共に記録してＥｘｉｆファイルを作成する作成手段と、
を有することを特徴とする撮像装置。
【請求項２】
前記記録媒体のボリュームラベルの文字列は、
前記画像データの作成者及び前記画像データの著作権者のうち少なくとも１つを含むことを特徴とする請求項１に記載の撮像装置。
【請求項３】
前記作成手段は、
前記記録媒体のボリュームラベルの文字列が、予め定められたフォーマットの一部に含まれるように記録することを特徴とする請求項１または２に記載の撮像装置。
【請求項４】
前記作成手段は、
前記記録媒体のボリュームラベルの文字列に加えて、前記画像データの撮影年を記録することを特徴とする請求項１から３のいずれか１項に記載の撮像装置。
【請求項５】
画像データを記録する記録媒体を着脱可能とする装置が行う画像ファイル作成方法であって、
前記記録媒体が装着され、前記装置の電源が入った後で、前記記録媒体のボリュームラベルに予め設定された文字列を読み込む読込工程と、
前記読込工程により読み込まれた前記記録媒体のボリュームラベルの文字列を前記画像データと共に記録してＥｘｉｆファイルを作成する作成工程と、
を有することを特徴とする画像ファイル作成方法。
【請求項６】
前記記録媒体のボリュームラベルの文字列は、
前記画像データの作成者及び前記画像データの著作権者のうち少なくとも１つを含むことを特徴とする請求項５に記載の画像ファイル作成方法。
【請求項７】
前記作成工程では、
前記記録媒体のボリュームラベルの文字列が、予め定められたフォーマットの一部に含まれるように記録されることを特徴とする請求項５または６に記載の画像ファイル作成方法。
【請求項８】
前記作成工程では、
前記記録媒体のボリュームラベルの文字列に加えて、前記画像データの撮影年が記録されることを特徴とする請求項５から７のいずれか１項に記載の画像ファイル作成方法。
【発明の詳細な説明】
【技術分野】
【０００１】
本発明は、画像ファイルに対して、画像データと共に付属情報を記録する撮像装置及び画像ファイル作成方法に関する。
【背景技術】
【０００２】
現在、デジタルカメラなどの画像ファイルフォーマットとして、ＪＥＩＤＡ（Japanese Electronic Industry Development Association：日本電子工業振興協会）規格のＥｘｉｆ（Exchangeable Image File Format）が一般的に広く利用されている。このＥｘｉｆでは、関連する付属情報をタグに記載することができる。
【０００３】
このタグの中には、作成者（Artist）や、撮影著作権者／編集著作権者（Copyright）などもある。これらのタグ情報を、ユーザが設定するには、撮影の事前にデジタルカメラを設定しておくか、事前設定ができないデジタルカメラの場合には、撮影後にファイルを編集することになる。
【０００４】
事前に設定が可能なデジタルカメラの場合には、例えば、パーソナルコンピュータ（ＰＣ）とデジタルカメラとを接続して、ＰＣから直接デジタルカメラに設定を行う方法がある。例えば、特許文献１に開示された発明は、撮影者が撮影毎に、撮影した画像に対してその画像に対応した情報を入力することを可能にし、撮影した画像を後で編集することなくそのまま業務用に使用できるようにしている。
【０００５】
しかし、外出先などでＰＣがない場合には、デジタルカメラの設定を変更することができない。また、デジタルカメラ単体で設定可能な場合であっても、液晶画面や操作ボタンが小さいので操作性が悪い。
【０００６】
さらに、複数名で１台のデジタルカメラを利用する場合、前述したような従来の方法では、ユーザが変わる度にデジタルカメラの設定を変更しなければならず、これにも手間がかかってしまう。
【０００７】
一方、事前に設定ができないデジタルカメラの場合には、例えば、デジタルカメラでの撮影後に、画像ファイルをＰＣ上で編集する方法がある。しかし、画像ファイルをＰＣ上に保存した後では、誰がどの画像ファイルを撮影したのか分かりにくく、また、１ファイル毎に編集を行うことになるので、この場合でも手間がかかってしまう。
【０００８】
このように、前述したような従来のデジタルカメラにおける設定方法は、ユーザにとって非常に煩わしく手間のかかる作業であった。
【特許文献１】特開２００３−２２４７５０号公報
【発明の開示】
【発明が解決しようとする課題】
【０００９】
このような課題に鑑み、本発明は、Ｅｘｉｆタグの作成者（Artist）や、撮影著作権者／編集著作権者（Copyright）における設定の変更を簡単に行うことのできる撮像装置および画像ファイル作成方法を提供することを目的としている。
【課題を解決するための手段】
【００１０】
上記の目的を達成するため、本発明の第１の態様は、被写体を撮像し、画像データを取得する画像データ取得手段を有し、画像データを記録する記録媒体を着脱可能とする撮像装置であって、記録媒体が装着され、撮像装置の電源が入った後で、記録媒体のボリュームラベルに予め設定された文字列を読み込む読込手段と、読込手段により読み込まれた記録媒体のボリュームラベルの文字列を画像データと共に記録してＥｘｉｆファイルを作成する作成手段と、を有することを特徴とする。
【００１１】
本発明の第２の態様は、画像データを記録する記録媒体を着脱可能とする装置が行う画像ファイル作成方法であって、記録媒体が装着され、装置の電源が入った後で、記録媒体のボリュームラベルに予め設定された文字列を読み込む読込工程と、読込工程により読み込まれた記録媒体のボリュームラベルの文字列を画像データと共に記録してＥｘｉｆファイルを作成する作成工程と、を有することを特徴とする。
【発明の効果】
【００１８】
このように、本発明の撮像装置および撮像方法によれば、Ｅｘｉｆタグの作成者（Artist）や、撮影著作権者／編集著作権者（Copyright）における設定の変更を簡単に行うことができる。
【発明を実施するための最良の形態】
【００１９】
以下に、本実施形態の撮像装置を、図面を用いて詳細に説明する。なお、本実施形態は後述するものに限定されず、その趣旨を逸脱しない範囲において種々変更が可能である。また、本実施形態における撮像装置として、デジタルカメラを用いて説明する。
図１は、本実施形態におけるデジタルカメラの外観を模式的に示す図である。
【００２０】
本実施形態のデジタルカメラは、ＬＣＤモニタ１と、サブＬＣＤ２と、光学ファインダ３と、ストロボ発光部４と、測距ユニット５と、リモコン受光部６と、鏡胴ユニット７と、ＳＤカード／電池蓋８と、オートフォーカスＬＥＤ９と、ストロボＬＥＤ１０とを備えている。
【００２１】
また、各種の操作スイッチとして、レリーズシャッタ（ＳＷ１）と、モードダイアル（ＳＷ２）と、ズームスイッチ（ＳＷ３）と、セルフタイマ／削除スイッチ（ＳＷ４）と、メニュースイッチ（ＳＷ５）と、上／ストロボスイッチ（ＳＷ６）と、右スイッチ（ＳＷ７）と、下／マクロスイッチ（ＳＷ８）と、左／画像確認スイッチ（ＳＷ９）と、ディスプレイスイッチ（ＳＷ１０）と、ＯＫスイッチ（ＳＷ１１）と、電源スイッチ（ＳＷ１２）と、を備えている。
【００２２】
図１において、デジタルカメラを背面から見ると、オートフォーカス（ＡＦ）で焦点距離があったことをユーザに知らせるためのオートフォーカスＬＥＤ９や、ストロボ充電完了をユーザに知らせるためのストロボＬＥＤ１０や、光学ファインダ３や、ズームをＴｅｌｅ方向あるいはＷｉｄｅ方向に動作させるためのズームスイッチ（ＳＷ３）などがある。また、本体の電源をＯＮ／ＯＦＦするための電源スイッチ（ＳＷ１２）や、モニタリング画像を表示したり、設定画面を表示するためのＬＣＤモニタ１や、その他の上下左右スイッチや、頻繁に使うセルフタイマスイッチ、ＯＫスイッチなどがある。
【００２３】
また、デジタルカメラを上部から見ると、レリーズシャッタ（ＳＷ１）や、いろいろな撮影モードや再生モードなどの切り替えるモードダイアル（ＳＷ２）や、残枚数やバッテリーエンドなどを表示するサブＬＣＤ２などがある。
【００２４】
さらに、デジタルカメラを上部から見ると、電池や、ＳＤカードなどの記録媒体である外部メモリを、カメラ本体に格納するためのＳＤカード／電池蓋８がある。また、撮像レンズを格納している鏡胴ユニット７やリモコン受光部６、オートフォーカスを実現するために被写体までの距離を測定する測距ユニット５やストロボ発光部４などがある。
【００２５】
図２は、本実施形態のデジタルカメラの構成を示すブロック図である。
図２に示すように、デジタルカメラ２０は、ＵＳＢやブルートゥース（Bluetooth）などを用いてプリンタ３０と通信を行うことが可能である。
【００２６】
デジタルカメラ２０は、画像情報を記憶するフラッシュメモリなどの外部記憶装置２２と、ＣＣＤやＡ／Ｄ変換器など画像情報の入力部である撮像装置２３と、各種情報を表示する表示装置２４と、デジタルカメラ２０に対して入力を行う操作卓２５と、外部機器（図２ではプリンタ３０）とのインタフェースを制御する通信Ｉ／Ｆ部２６とを備えている。そしてこれらは、デジタルカメラ２０全体の制御を行う全体制御装置２１によって制御されている。
また、全体制御装置２１は、ＣＰＵ、ＲＯＭ、ＲＡＭ、入出力ポート（Ｉ／Ｏポート）や、これらとデータをやり取りするバスラインなどからなる、周知のマイクロコンピュータによって構成される。
【００２７】
次に、図１および図３を用いて、本実施形態のデジタルカメラをさらに詳細に説明する。
図３は、本実施形態のデジタルカメラをさらに詳細に示すブロック図である。
【００２８】
鏡胴ユニット７は、被写体の光学画像を取り込むズームレンズ７１ａとズーム駆動モータ７１ｂとからなるズーム光学系７１と、フォーカスレンズ７２ａとフォーカス駆動モータ７２ｂとからなるフォーカス光学系７２と、絞り７３ａと絞りモータ７３ｂとからなる絞りユニット７３と、メカシャッタ７４ａとメカシャッタモータ７４ｂとからなるメカシャッタユニット７４と、各モータを駆動するモータドライバ７５とを備えている。
【００２９】
そして、モータドライバ７５は、リモコン受光部６からの入力や各種の操作スイッチ（ＳＷ１〜ＳＷ１３）の操作入力に基づいて、後述するディジタルスチルカメラプロセッサ１０４内に備えられたＣＰＵブロック１０４３からの駆動指令により駆動制御される。
【００３０】
ＲＯＭ１０８には、制御プログラムや制御するためのパラメータなどが格納されている。これらのデータは、ＣＰＵブロック１０４３にて解読可能なコードで記述されている。このデジタルカメラの電源がオン状態になると、各種の制御プログラムは不図示のメインメモリにロードされる。そして、ＣＰＵブロック１０４３は、そのプログラムに従ってデジタルカメラの装置各部の動作を制御する。それと同時に、制御に必要なデータなどを、一時的に、ＲＡＭ１０７及び後述するディジタルスチルカメラプロセッサ１０４内に備えられたＬｏｃａｌ  ＳＲＡＭ１０４４に保存する。ＲＯＭ１０８に書き換え可能なフラッシュＲＯＭを使用することによって、制御プログラムや制御するためのパラメータを変更することが可能となり、デジタルカメラの制御機能などにおけるバージョンアップが容易に行えることになる。
【００３１】
ＣＣＤ１０１は、光学画像を光電変換するための固体撮像素子である。
Ｆ／Ｅ（フロントエンド）−ＩＣ１０２は、画像ノイズ除去用相関二重サンプリングを行うＣＤＳ１０２１と、利得調整を行うＡＧＣ１０２２と、ディジタル信号変換を行うＡ／Ｄ１０２３と、ＣＣＤ１制御ブロック１０４１から垂直同期信号（以下、ＶＤと記す。）と水平同期信号（以下、ＨＤと記す。）とを供給され、かつ、ＣＰＵブロック１０４３によって制御されるＴＧ１０２４を備えている。また、このＴＧ１０２４は、ＣＣＤ１０１およびＦ／Ｅ−ＩＣ１０２の駆動タイミング信号を発生させる。
【００３２】
ディジタルスチルカメラプロセッサ１０４は、ＣＣＤ１０１を介してＦ／Ｅ―ＩＣ１０２から送られてくる出力データに、ホワイトバランス設定やガンマ設定を行うものである。
また、このディジタルスチルカメラプロセッサ１０４は前述したように、ＣＣＤ１制御ブロック１０４１と、ＣＣＤ２制御ブロック１０４２と、ＣＰＵブロック１０４３と、Ｌｏｃａｌ  ＳＲＡＭ１０４４と、ＵＳＢブロック１０４５と、シリアルブロック１０４６と、ＪＰＥＧ  ＣＯＤＥＣブロック１０４７と、ＲＥＳＩＺＥブロック１０４８と、ＴＶ信号表示ブロック１０４９と、メモリカードブロック１０４１０とを備えている。
【００３３】
ＣＣＤ１制御ブロック１０４１は、ＶＤ信号、ＨＤ信号をＥ／Ｆ−ＩＣ１０２のＴＧ１０２４へと供給する。ＣＣＤ２制御ブロック１０４２は、フィルタリング処理によって、画像データを輝度データ・色差データへと変換する。ＣＰＵブロック１０４３は、前述した本実施形態のデジタルカメラの装置各部の動作を制御し、Ｌｏｃａｌ  ＳＲＡＭ１０４４は、この制御に必要なデータなどを一時的に保存する。
【００３４】
ＵＳＢブロック１０４５とシリアルブロック１０４６とは、それぞれ、パソコンなどの外部機器とＵＳＢ通信・シリアル通信を行う。ＪＰＥＧ  ＣＯＤＥＣブロック１０４７は、ＪＰＥＧ形式に変換された画像データの圧縮・伸張を行う。ＲＥＳＩＺＥブロック１０４８は、画像データのサイズを補間処理により拡大／縮小する。ＴＶ信号表示ブロック１０４９は、画像データを液晶モニタやＴＶなどの外部表示機器に表示するためのビデオ信号に変換する。メモリカードブロック１０４１０は、撮影された画像データを記録するメモリカードの制御を行う。
【００３５】
また、ＳＤＲＡＭ１０３は、前述したディジタルスチルカメラプロセッサ１０４で画像データに各種処理を施す際に、画像データを一時的に保存するものである。
ここで保存される画像データは、例えば、ＣＣＤ１０１から、Ｆ／Ｅ−ＩＣ１０２を経由して取りこんで、ＣＣＤ１信号処理ブロック１０４１でホワイトバランス設定、ガンマ設定が行われた状態の「ＲＡＷ−ＲＧＢ画像データ」や、ＣＣＤ２制御ブロック１０４２で輝度データ・色差データ変換が行われた状態の「ＹＵＶ画像データ」、ＪＰＥＧ  ＣＯＤＥＣブロック１０４７で、ＪＰＥＧ圧縮された「ＪＰＥＧ画像データ」などである。
【００３６】
メモリカードスロットル１２１は、デジタルカメラ本体に着脱可能なメモリカードを装着するためのスロットルであり、メモリカードブロック１０４１０によって制御される。内蔵メモリ１２０は、前述したメモリカードスロットル１２１にメモリカードが装着されていない場合でも、撮影した画像データを記憶できるようにするためのメモリである。
【００３７】
ＬＣＤドライバ１１７は、後述するＬＣＤモニタ１を駆動させるドライブ回路であり、ＴＶ信号表示ブロック１０４９から出力されたビデオ信号を、ＬＣＤモニタ１に表示するための信号に変換する機能も備えている。ＬＣＤモニタ１は、撮影前における被写体の状態の監視や、撮影した画像の確認や、メモリカードや前述した内蔵メモリ１２０に記録した画像データなどを表示するためのモニタである。
【００３８】
ビデオＡＭＰ１１８は、ＴＶ信号表示ブロック１０４９から出力されたビデオ信号を、７５Ωインピーダンス変換するためのアンプであり、ビデオジャック１１９は、ＴＶなどの外部表示機器と接続するためのジャックである。
【００３９】
ＵＳＢコネクタ１２２は、ＰＣなどの外部機器とＵＳＢ接続を行うためのコネクタである。また、ＲＳ−２３２Ｃコネクタ１２３２は、パソコンなどの外部機器とシリアル接続を行うためのコネクタであり、前述したシリアルブロック１０４６の出力信号を電圧変換するシリアルドライバ回路１２３１を介して接続される。
【００４０】
また、ＳＵＢ−ＣＰＵ１０９は、ＲＯＭ・ＲＡＭをワンチップに内蔵したＣＰＵであり、各種の操作スイッチ（ＳＷ１〜ＳＷ１３）やリモコン受光部６からの出力信号をユーザの操作情報として、ＣＰＵブロック１０４３に出力する。また、ＣＰＵブロック１０４３より出力されるカメラの状態を、後述するサブＬＣＤ２や、ＡＦ  ＬＥＤ９や、ストロボＬＥＤ１０、そしてブザー１１３の制御信号に変換して、出力する。
【００４１】
サブＬＣＤ２は、例えば、撮影可能枚数など表示するための表示部である。また、ＬＣＤドライバ１１１は、前述したＳＵＢ−ＣＰＵ１０９からの出力信号によってサブＬＣＤ２を駆動させるためのドライブ回路である。
【００４２】
ＡＦ  ＬＥＤ９は、撮影時の合焦状態を表示するためのＬＥＤであり、ストロボＬＥＤ１０は、ストロボ充電状態を表すためのＬＥＤである。なお、このＡＦ  ＬＥＤ９とストロボＬＥＤ１０とは、例えば、メモリカードアクセス中などでの別の表示用途に使用してもよい。また、各種の操作スイッチ（ＳＷ１〜ＳＷ１３）は、ユーザが操作するキー回路であり、リモコン受光部６は、ユーザが操作したリモコン送信機の信号の受信部である。
【００４３】
音声記録ユニット１１５は、ユーザが音声信号を入力するマイク１１５３と、入力された音声信号を増幅するマイクＡＭＰ１１５２と、増幅された音声信号を記録する音声記録回路１１５１とを備えている。また、音声再生ユニット１１６は、記録された音声信号をスピーカから出力できる信号に変換する音声再生回路１１６１と、変換された音声信号を増幅し、スピーカを駆動するためのオーディオＡＭＰ１１６２と、音声信号を出力するスピーカ１１６３とを備えている。
【００４４】
次に、本実施形態のデジタルカメラにおける、画像ファイルフォーマットについて説明する。
図４は、本実施形態のデジタルカメラの画像データに係るＥｘｉｆのファイルフォーマットを示す図である。
【００４５】
本実施形態では、画像データの圧縮ファイルはＪＰＥＧに準拠する。圧縮データの他には、Ｅｘｉｆの付属情報であるアプリケーション・セグメントＡＰＰ１（Reserved for Application segmentｓ）と、量子化テーブルの実態を定義するＤＱＴ（Define Quantization Table(s)）と、ハフマンテーブルの実態をある決まりにしたがったフォーマットで定義するＤＨＴ（Define Huffman Table(s)）と、フレームに関する各種パラメータＳＯＦ（Start of Frame）と、コンポーネントに関する各種パラメータＳＯＳ（Start of Scan）とにおけるマーカをそれぞれひとつずつ含む。そして、ファイルの始まりを示すＳＯＩ（Start of Image）ではじまり、圧縮データの終了を示すＥＯＩ（End of Image）で圧縮データが終了する。
【００４６】
なお、リスタートインターバルマーカＤＲＩ（Define Restart Interval）はオプションである。本実施形態では、オプションでＥｘｉｆ拡張データＡＰＰ２を複数個含む場合がある。
【００４７】
ＡＰＰ１の内部は、ＡＰＰ１マーカと、Ｅｘｉｆ識別コードと、付属情報とで構成されている。
付属情報はファイルヘッダを含むＴＩＦＦの構造で、０thＩＦＤには主画像の付属情報を記録し、１stＩＦＤにはサムネイル画像を記録することになる。
【００４８】
ここで、ＩＦＤ（Image File Directory）についてさらに説明する。図５は、本実施形態のデジタルカメラの画像データに係るＩＦＤを示す図である。
【００４９】
ＩＦＤは、ＴＩＦＦ  Ｒｅｖｉｓｉｏｎ  ６．０にしたがって、フィールド（タグ）の数と、フィールドエントリ列と、次のＩＦＤへのオフセットで構成されている。フィールドエントリは、タグ番号（タグ）と、データの格納フォーマット（タイプ）と、データの個数（カウント）と、データ値ｏｒデータへのオフセット値（値へのオフセット）との４つの要素で構成されている。
【００５０】
カメラの所有者、写真家または画像の作成者の名前を記録するタグであるＥｘｉｆタグの作成者（Artist）は以下の通りである。なお、Tagの括弧内は１６進表記である。
Tag       ＝305(131h)
Type      ＝ASCII
Count     ＝Any
Default   ＝なし
【００５１】
また、撮影著作権と編集著作権者双方の表示に用いる場合における、その画像に対して著作権を主張する人または組織の著作権表示である撮影著作権者／編集著作権者（Copyright）は以下の通りである。
Tag       ＝315(13Bh)
Type      ＝ASCII
Count     ＝Any
Default   ＝なし
【００５２】
以下に、撮影した画像データと共にＳＤカードのボリュームラベルを付属情報Ｅｘｉｆタグの著作権者（Copyright）としてＥｘｉｆファイルに記録する流れを説明する。
【００５３】
まず、ユーザは、デジタルカメラでの撮影の事前に、Ｅｘｉｆ作成者タグに記載したい文字列を、ＰＣ上でＳＤカードのボリュームラベルに設定しておく。次に、ボリュームラベルを設定したＳＤカードをデジタルカメラに装着して、デジタルカメラの電源を入れる。そして、ＳＤカードのボリュームラベル内容を読み込む。
【００５４】
撮像操作で得られた画像データと共に、図５で例示したＩＦＤのひとつのタグである、Copyrightに、読み込んだＳＤカードのボリュームラベルを含んだ値を以下のように記録して、Ｅｘｉｆファイルを作成する。
“Copyright，［ボリュームラベル内容］，[撮影年]．All right reserved."
なお、ここでは、括弧内以外については固定値とする。
【００５５】
このように、本実施形態のデジタルカメラによれば、画像データを記録する記録媒体を取り替えるだけで、Ｅｘｉｆタグの作成者（Artist）、撮影著作権者／編集著作権者（Copyright）の設定・変更を行うことが可能である。したがって、ユーザにとって煩わしく手間のかかる作業を軽減することができる。
【産業上の利用可能性】
【００５６】
本実施形態の撮像装置及び撮像方法は、記録媒体である外部メモリに情報を記録するデバイスとしても適用可能である。
【図面の簡単な説明】
【００５７】
【図１】本実施形態のデジタルカメラの外観図である。
【図２】本実施形態のデジタルカメラの構成の一例を示すブロック図である。
【図３】本実施形態のデジタルカメラの構成の一例を示すブロック図である。
【図４】本実施形態のデジタルカメラにおけるＥｘｉｆファイルフォーマットを模式的に示す図である。
【図５】本実施形態のデジタルカメラにおけるＩＦＤフォーマットを模式的に示す図である。
【符号の説明】
【００５８】
１    ＬＣＤモニタ
２    サブＬＣＤ
３    光学ファインダ
４    ストロボ発光部
５    測距ユニット
６    リモコン受光部
７    鏡胴ユニット
８    ＳＤカード／電池蓋
９    オートフォーカスＬＥＤ
１０    ストロボＬＥＤ
２０    デジタルカメラ
２１    全体制御装置
ＳＷ１    レリーズシャッタ
ＳＷ２    モードダイアル
ＳＷ３    ズームスイッチ
ＳＷ４    セルフタイマ／削除スイッチ
ＳＷ５    メニュースイッチ
ＳＷ６    上／ストロボスイッチ
ＳＷ７    右スイッチ
ＳＷ８    下／マクロスイッチ
ＳＷ９    左／画像確認スイッチ
ＳＷ１０    ディスプレイスイッチ
ＳＷ１１    ＯＫスイッチ
ＳＷ１２    電源スイッチ
【図１】
0004558615.tif 000002
【図２】
0004558615.tif 000003
【図３】
0004558615.tif 000004
【図４】
0004558615.tif 000005
【図５】
0004558615.tif 000006